(57)【要約】【課題】  イカや魚などを釣り上げた後の作業に使用され、絞めること、掴むことを可及的に容易とするための釣り道具を提供すること。【解決手段】  一端側に挟持部１１，２１を他端側に把持部１２，２２を有する一対の金属板１０，２０を交叉枢着してなり、挟持部１１，２１の先端には突刺用刃１３，２３を設けるとともに、当該挟持部の先端から後方に向かって、両挟持部１２，２２を閉じることで一対の金属板１０，２０の厚み部分が対面した場合に互いに噛み込む凹凸部１４，２４を形成する一方、把持部１２，２２には把持部１２，２２を開放方向に付勢するバネ１８を把持部１２，２２間に渡って設け、且つ、当該バネ１８の付勢力に抗して両把持部１２，２２が閉じた状態に固定するために係合するロック片３３とロック片係合部２２Ｂとを設けてなることを特徴とする。 【選択図】          図１
2008011707.tif 000002
【特許請求の範囲】
【請求項１】
一端側に挟持部を他端側に把持部を有する一対の金属板を交叉枢着してなり、
前記挟持部の先端には突刺用刃を設けるとともに、当該挟持部の先端から後方に向かって、両挟持部を閉じることで一対の金属板の厚み部分が対面した場合に互いに噛み込む凹凸部を形成する一方、
前記把持部には該両把持部を開放方向に付勢するバネを両把持部間に渡って設け、且つ、当該バネの付勢力に抗して両把持部が閉じた状態に固定するために、係合するロック片とロック片係合部とを設けてなることを特徴とする釣り道具。
【請求項２】
前記挟持部には、両挟持部を閉じることで互いに交差する切断刃を形成してなることを特徴とする請求項１に記載の釣り道具。
【請求項３】
前記把持部の少なくとも何れか一方には、釣り針が挿入可能な開口孔を有するパイプを回動自在に枢着してなることを特徴とする請求項１または２に記載の釣り道具。
【請求項４】
前記把持部には、その外装を樹脂製のグリップカバーで覆うとともに、そのグリップカバーには紐などを固定するためのフック取り付け用のフック孔を形成してなることを特徴とする請求項１ないし３のいずれかに記載の釣り道具。
【発明の詳細な説明】
【技術分野】
【０００１】
本発明は、イカなどの釣りに使用される釣り道具に関し、詳しくは、イカを釣り上げた後の、絞め、掴む、などの動作を容易に行うことができる道具に関する。
【背景技術】
【０００２】
従来から、アオリイカなどのイカ釣りを、機械釣りや、生餌を使った一本釣り、或いは、疑似餌を使用したルアー釣りなどで行い、イカが釣り上げられた場合には、生簀に入れて泳がせて保管するか、絞めてからクーラボックスに入れて保管されることが多い。
【０００３】
後者の場合には、イカの目と目との間を絞め棒で叩くか、火箸のようなものでイカの口から突き刺すことによって行われる。生け締めが完了したかどうかは、イカの体色が、生きている透明な状態から白く変化することによって確認することができる。生簀に入れない場合に絞める理由は、保管庫やクーラボックスに入れた際に、イカが墨を吐くなどして、食品としての価値を低下させたりすることが主な要因となっている。
【発明の開示】
【発明が解決しようとする課題】
【０００４】
上述したようにイカを目と目との間を叩いて絞める場合、イカの表面の粘膜などの影響もあって、ピンポイントで急所を絞めることが可能な力で叩くために狙いを定めるのは容易ではなく、また、絞めた後の取り扱いについては、慣れない釣り人にとっては、イカの体を掴むと滑ってしまうことから取り扱いが比較的難しいといった問題があった。
【０００５】
この発明は、このようなイカや魚などの釣りに使用して、絞めること、掴むことを可及的に容易とするための釣り道具を提供することを目的としている。
【課題を解決するための手段】
【０００６】
請求項１の発明では、一端側に挟持部を他端側に把持部を有する一対の金属板を交叉枢着してなり、前記挟持部の先端には突刺用刃を設けるとともに、当該挟持部の先端から後方に向かって、両挟持部を閉じることで一対の金属板の厚み部分が対面した場合に互いに噛み込む凹凸部を形成する一方、前記把持部には該両把持部を開放方向に付勢するバネを両把持部間に渡って設け、且つ、当該バネの付勢力に抗して両把持部が閉じた状態に固定するために、係合するロック片とロック片係合部とを設けてなることを特徴とする。
【０００７】
前記金属板としては、いずれの金属で構成しても良いが、イカなどを釣る釣り場にて、海水が不着して錆び難いように、不錆性の金属であることが好ましい。後述する実施の形態では、このような金属板として不錆性のステンレスを採用している。このようなステンレスに限らず他の不錆性の金属を採用できるのは勿論である。前記バネに関しても金属板と同様にその使用状況から不錆性の金属で形成することが好ましい。
【０００８】
また、この金属板は、一対の挟持部の厚み部分が対面して、その厚み部分で釣り上げたイカなどの生物の胴体を把持するものであるから、把持する力で胴体を傷つけない程度の厚みを有することが好ましい。仮に、薄い金属板を採用した場合には、把持力を強くするとイカなどの生物の胴体を不用意に切断してしまったり、傷をつけてしまう虞があるからである。
【０００９】
前記挟持部の厚み部分に形成した凹凸部は、一対の金属板の凸部同士が対面するのではなく、一方の金属板の凹部に他方の金属板の凸部が噛み込むように構成するようにしているから、イカなどのように体表面を粘膜で覆われている滑り易いものを掴む場合であっても、生死に関わらずに容易に掴んで他の場所に移動させる動作が容易となる。仮に、凸部同士が対面するように構成した場合には、イカの体に食い込みすぎて傷を付ける虞があるが、この発明ではこのような虞を低減することができるようにしている。
【００１０】
請求項２の発明では、請求項１の構成に加え、前記挟持部には前記両挟持部を閉じることで互いに交差する切断刃を形成する。
【００１１】
請求項３の発明では、請求項１または請求項２の構成に加え、前記把持部の少なくとも何れか一方には、釣り針が挿入可能な開口孔を有するパイプを回動自在に枢着してある。
前記パイプは、そのパイプの使用時には把持部から外部に突出するように回動して、該パイプの開口孔に折れ曲がった釣り針を入れて正常な状態に矯正する。そして、非使用時には、把持部の幅内に納まり外部に突出しないように内方に回動させることによって、邪魔になったり怪我の原因になるなどの虞を低減することができる。
【００１２】
請求項４の発明では、請求項１〜請求項３の構成に加え、前記把持部に、その外装を樹脂製のグリップカバーで覆うとともに、そのグリップカバーには紐などを固定するためのフック取り付け用のフック孔を形成してなる。このグリップカバーは、金属板を直接手で把持した場合の違和感（冷たい、硬いなど）を低減し、塩分などからの耐食性を確保するために樹脂を採用している。この樹脂は、非透明、透明なものでも適宜に採用することができる。
【発明の効果】
【００１３】
この発明の請求項１の釣り道具によれば、突刺用刃によって簡単にイカや魚を絞めることができるとともに、イカやアナゴなどの魚のように粘膜を有して手で掴みにくい胴体を有する魚であっても、挟持部の厚み部分に形成した凹凸部によって十分に挟持力を確保して掴むことができるようになる。
しかも、連鎖的に使用される、絞める道具と掴む道具とが一体となっているため、釣り場で道具が散乱して使用したい時に直ぐに見つからないなどの虞を低減することができる。
また、把持部にはバネを設けているから、挟持部及び把持部を自動的に開放することができるのに加え、両挟持部及び把持部を、バネの付勢力に抗してロック片とロック片係合部との係合により閉じた状態に保持することができる。
【００１４】
請求項２の釣り道具によれば、挟持部に形成した切断刃により釣り用のテグスをカットすることができる。
【００１５】
請求項３の釣り道具によれば、挟持部に枢着したパイプの開口孔に曲がった釣り針の先端を挿入して、該釣り針の曲がりを矯正することができる。
【００１６】
請求項４の釣り道具によれば、挟持部の外装をグリップカバーで被覆しているから、把持部し易い上に、把持部の耐蝕性を確保することができる。また、グリップカバーに形成したフック孔にナス環などを取り付けて、吊り下げや持ち運びに便利なようにしている。
【発明を実施するための最良の形態】
【００１７】
図１乃至図５に基づいて、本発明の一実施の形態について以下に説明する。図１は釣り道具を閉じた状態を示す正面図であり、図２は図１の背面図、図３は図１の釣り道具を開いた状態を示す正面図、図４は図３の背面図、図５（Ａ）は釣り道具のフック孔にフックを取り付けた状態を示す部分拡大図であり、図５（Ｂ）は釣り針の矯正パイプの使用状態を示す部分拡大図である。
【００１８】
図において、符号１は本発明に係る釣り道具であって、外形的にはラジオペンチのような形態を呈しているものである。この釣り道具１は、一端側に挟持部１１，２１を他端側に把持部１２，２２を有する一対の不錆性のステンレスからなる金属板１０，２０を交叉して配置し、その交叉した部位に設けられた図示しない貫通孔へ枢着ネジ３０を挿入し、枢着ネジ３０と枢着ナット３１とで締め付けることによって枢着固定されている。
【００１９】
そして、挟持部１１，２１の先端１１Ａ，２１Ａには、その先端１１Ａ，２１Ａから後端に向うテーパ面１３Ａ，２３Ａを形成することによって先端を尖らせた突刺用刃１３，２３を形成している。図１及び図２に示すように、バネ１８の付勢力に抗してロック片係合部２２Ｂにロック片３３を係合して釣り道具１を閉じた状態で、図６に示すようなアオリイカの目Ａと目Ａとの間の急所部Ｂに狙いを定めて、突刺用刃１３，２３を突き刺して簡単に絞めることができる。この実施の形態では、アオリイカを例にとって説明したが、他のイカや魚であっても同様に急所を突き刺して絞めることができる。
【００２０】
図１及び図２の閉じた状態でロック片３３をロック片係合部２２Ｂより係合解除すると、バネ１８の付勢力により、挟持部１１，２１及び把持部１２，２２は開放され、図３及び図４に示すように釣り道具１が開いた状態となる。この開いた状態から把持部１２，２２を手で握って閉じる操作を行うことで、両挟持部１１，２１には一対の金属板１０，２０の厚み部分が対面した場合に互いに噛み込む状態となる凹凸部１４，２４を、その先端から後方に向かう厚み部分に形成している。金属板１０の凹凸部１４は、金属板１０の厚み方向に複数の凹部を設けることによって形成される一方、金属板２０の凹凸部２４は、金属板２０の厚み方向に複数の凸部を設けることによって形成されている。
【００２１】
そして、金属板１０の複数の凹部と金属板２０の複数の凸部とが、互いに噛み込むように配置しているから、イカなどのように体表面を粘膜で覆われている滑り易いものを掴む場合であっても、体を傷つけることを低減しつつ、生死に関わらずに容易に掴んで他の場所に移動させる動作が容易となる。図６に示すアオリイカの場合には、突刺用刃１３，２３で突き刺して絞めた後に、矢印Ｃ，Ｄ方向からアオリイカの胴体を挟持部１１，１２の凹凸部１４，２４で挟み込んで掴み、図示しないクーラボックスなどの保管庫へ運ぶように使用される。
【００２２】
凹凸部１４，２４と金属板１０，２０とが交叉する部分との間には、両挟持部１１，２１を閉じることで厚み方向に互い違いに交差する切断刃１５，２５を形成している。この切断刃は、ラジオペンチに設けられる電線カット用の刃と異なり、両切断刃１５，２５が挟持部１１，２１を閉じることでハサミのように互い違いに交差する。このように構成することによって、細いテグスを潰して切断するのではなく、カットすることが可能となる。なお、釣り用のワイヤや太いテグスを切断するためには、このような切断刃１５，２５で切断すると刃が欠けるなどして痛む虞があるので、切断刃１５，２５に加え、これと連続した位置に、挟持部１１，２１を閉じても、図示していないが、若干の空隙が残るよう円弧状に切欠いた円弧状切断刃を形成するとよい。この円弧状切断刃により、釣用ワイヤや太いテグスが両挟持部１１，２１を閉じることで切断刃１５，２５に刃こぼれなどを起こすことを回避しつつ切断することができる。
【００２３】
図１及び図５（Ｂ）に図示するように、把持部１２の平面部分には、釣り針Ｆが挿入可能な開口孔１７Ａを有するパイプ１７が、枢軸１７Ｂを介して回動自在に枢着して構成されている。パイプ１７の開口孔１７Ａは、そのパイプ１７の使用時に、図１に示す一点鎖線から実線で示す位置であって、把持部１２から外部に突出するように回動させて配置した後に使用される。その使用方法は、開口孔１７Ａに曲がった釣り針Ｆの先端を挿入し、釣り針Ｆの後端側を指で把持し、曲がりを戻す方向に押しやることによって釣り針Ｆの曲がりを矯正するものである。
【００２４】
そして、パイプ１７の非使用時には、把持部１２の幅内に納まり外部に突出しないように枢軸１７Ｂを介して内方に回動させることによって、邪魔になったり怪我の原因になるなどの虞を低減することが可能なように構成している。
【００２５】
前記把持部１２，２２の夫々にはバネ取付孔１２Ａ，２２Ａを形成し、この両孔１２Ａ，２２Ａに把持部１２，２２を開放方向に付勢するバネ１８の両端を固定して、このバネ１８の付勢力によって、図３及び図４に示すような両把持部１２，２２を開いた状態に常時保持可能なように構成している。
【００２６】
このような両把持部１２，２２を開いた状態では、収納などの取り扱いや、前述したような突き刺す場合の取り扱いが不便となる可能性があることから、バネ１８の付勢力に抗して両把持部１２，２２を閉じた状態に固定するロック片３３とロック片係合部２２Ｂとをそれぞれ把持部１２，２２に設けている。ロック片３３は、把持部１２に対して回動自在に設けられており、把持部２２の側面から突出して一体的に形成されたロック片係合部２２Ｂと係合することによって、図１および図２のように両把持部１２，２２を閉じた状態に固定することができる。
【００２７】
さらに、把持部１２，２２は、その外装を、把持部１２，２２を手で把持した場合に金属板１０，２０と手が直接に接触しないように、樹脂製のグリップカバー１９でその一部が露出した状態に覆って構成されている。このグリップカバー１９は、金属板１０，２０を直接手で把持した場合の違和感（冷たい、硬いなど）を低減し、塩分などからの耐食性を確保するために樹脂を採用している。この樹脂は、非透明、透明なものでも適宜に採用することができる。
【００２８】
グリップカバー１９の隅角部には、紐などを固定するためのフック取り付け用のフック孔１９Ａを形成している。このフック孔１９Ａには、図５（Ａ）に示すように、ナス環３５の先端部３５Ａ，３５Ａが挿入されて固定され、このナス環３５に紐を通すなどしてクーラボックスなどに吊るすなどして固定し使用することができるようにしている。
【産業上の利用可能性】
【００２９】
本発明にかかる釣り道具は、イカや魚を釣る釣り人が釣りのために使用される。また、物を挟むペンチやアイスピックなどのように尖頭状の先端部で物を砕くような治具としても使用することが可能となる。
【図面の簡単な説明】
【００３０】
【図１】本発明の一実施の形態である釣り道具の閉じた状態を示す正面図である。
【図２】図１の背面図である。
【図３】図１の釣り道具を開いた状態を示す正面図である。
【図４】図３の背面図である。
【図５】（Ａ）は釣り道具のフック孔にフックを取り付けた状態を示す部分拡大図であり、（Ｂ）は釣り道具の釣り針矯正パイプの使用状態を示す部分拡大図である。
【図６】本発明の釣り道具の使用形態を示す参考図である。
【符号の説明】
【００３１】
１                釣り道具
１０，２０        金属板
１１，２１        挟持部
１２，２２        把持部
１３，２３        突刺用刃
１４，２４        凹凸部
１５，２５        切断刃
１７              パイプ
１８              バネ
１９              グリップカバー
２２Ｂ            ロック片係合部
３０              枢着ネジ
３１              枢着ナット
３３              ロック片
Ａ                目
Ｂ                急所部
【図１】
2008011707.tif 000003
【図２】
2008011707.tif 000004
【図３】
2008011707.tif 000005
【図４】
2008011707.tif 000006
【図５】
2008011707.tif 000007
【図６】
2008011707.tif 000008